(57)【要約】【課題】ユーザの嗜好を反映させた番組検索により、ユーザの満足度を向上できるテレビ受像機を提供することである。【解決手段】テレビ放送を受信して選局するテレビ受像機において、放送データ中の画像音声データ以外の情報を用いて、所望の情報順に予め優先度が設定されている場合、番組検索によるお勧め順位の判定は、現在放送中の番組を検索対象とし、前記優先度の高い情報を有する番組を高順位とし、同じ優先度の情報を有する番組同士は、情報の個数に関係なく同じ順位とし、異なる優先度の情報を有する番組同士は、より高い異なる優先度を有する番組を高順位とする。【選択図】図６
2011166252.tif 000002
【特許請求の範囲】
【請求項１】
テレビ放送を受信して選局するテレビ受像機において、
放送データ中の画像音声データ以外の情報を用いて、所望の情報順に予め優先度が設定されている場合、
番組検索によるお勧め順位の判定は、
現在放送中の番組を検索対象とし、
前記優先度の高い情報を有する番組を高順位とし、
同じ優先度の情報を有する番組同士は、情報の個数に関係なく同じ順位とし、
異なる優先度の情報を有する番組同士は、より高い異なる優先度を有する番組を高順位とすることを特徴とするテレビ受像機。
【請求項２】
前記お勧め順位が１位の番組が１つの場合はそれを選局し、
前記お勧め順位が１位の番組が複数ある場合は、その中から選択操作された番組を選局することを特徴とする請求項１記載のテレビ受像機。
【請求項３】
前記お勧め順位が１位及び２位の番組が１つずつある場合は、前記お勧め順位が２位の番組の録画を指示し、
前記お勧め順位が１位の番組が１つあり、前記お勧め順位が２位の番組が複数ある場合は、前記お勧め順位が２位の番組の中から選択操作された番組の録画を指示し、
前記お勧め順位が１位の番組が複数ある場合は、前記お勧め順位が１位の番組のうち、選局しなかった番組の中から選択操作された番組の録画を指示することを特徴とする請求項２記載のテレビ受像機。
【請求項４】
前記放送データ中の画像音声データ以外の情報は、番組のジャンル、視聴年齢制限、画質、音声方式、番組名、番組説明のうちの任意の情報であることを特徴とする請求項１〜３の何れかに記載のテレビ受像機。
【発明の詳細な説明】
【技術分野】
【０００１】
本発明は、テレビ放送を受信して選局するテレビ受像機に関する。
【背景技術】
【０００２】
従来から、テレビ放送を受信して選局するテレビ受像機には、番組のジャンルやキーワード等で番組検索してその番組を選局できるものがある。この機能はユーザが所望の番組を効率良く探すのに有効であり、様々な検索の手法が提案されている。
【０００３】
例えば、特許文献１には、ジャンル、放送時間、料金等の番組の複数の属性についてユーザが設定した優先度をメモリに記憶し、アンテナによって受信されたＥＰＧ情報に含まれる各番組について、ＣＰＵにより、メモリに記憶された優先度に基づいてユーザの複数の要望に沿っているか否かを総合的に判断し、よりユーザの要望に近い番組を抽出してテレビ受像機のディスプレイに一覧表示する技術が開示されている。
【０００４】
また、特許文献２には、放送チャンネルと当該放送チャンネルに対応する番組の詳細表示とを表示画面上に表示するときに、視聴者の嗜好に基づく優先順位に従って当該放送チャンネルと当該放送チャンネルに対応する番組の詳細表示とを表示させるようにした技術が開示されている。
【０００５】
また、特許文献３には、ユーザの好みに基づいて放送コンテンツの優先順位を決め、サーチ結果を表示部に表示する技術が開示されている。
【０００６】
また、特許文献４には、各ユーザの番組嗜好等に応じて設定される各番組検索条件に適合する番組表リストが放送予定の時間軸で対比可能となり、ユーザの利便性を向上できる番組表生成装置及び番組表生成方法が開示されている。
【先行技術文献】
【特許文献】
【０００７】
【特許文献１】特開２００２−１１２１３２号公報
【特許文献２】特開２００８−１９３２８１号公報
【特許文献３】特表２００８−５１８５７０号公報
【特許文献４】特開２００８−１１４２８号公報
【発明の概要】
【発明が解決しようとする課題】
【０００８】
このように、様々な手法が提案されているが、どのようにしてユーザの嗜好を判断するかで精度が大きく異なり、ユーザの満足度も大きく異なる。したがって、さらなる工夫や改良の余地がある。
【０００９】
本発明は、ユーザの嗜好を反映させた番組検索により、ユーザの満足度を向上できるテレビ受像機を提供することを目的とする。
【課題を解決するための手段】
【００１０】
上記目的を達成するために本発明は、テレビ放送を受信して選局するテレビ受像機において、放送データ中の画像音声データ以外の情報を用いて、所望の情報順に予め優先度が設定されている場合、番組検索によるお勧め順位の判定は、現在放送中の番組を検索対象とし、前記優先度の高い情報を有する番組を高順位とし、同じ優先度の情報を有する番組同士は、情報の個数に関係なく同じ順位とし、異なる優先度の情報を有する番組同士は、より高い異なる優先度を有する番組を高順位とすることを特徴とする。
【００１１】
この構成によれば、ユーザの嗜好で設定された優先度に合致している順にお勧め順位を付けて提示することができる。
【００１２】
上記のテレビ受像機において、前記お勧め順位が１位の番組が１つの場合はそれを選局し、前記お勧め順位が１位の番組が複数ある場合は、その中から選択操作された番組を選局することが望ましい。
【００１３】
この構成によれば、ユーザの嗜好に最も合っていると考えられる番組を直ちに選局でき、ユーザの嗜好に最も合っていると考えられる番組が複数見つかった場合にも対応できる。
【００１４】
また上記のテレビ受像機において、前記お勧め順位が１位及び２位の番組が１つずつある場合は、前記お勧め順位が２位の番組の録画を指示し、前記お勧め順位が１位の番組が１つあり、前記お勧め順位が２位の番組が複数ある場合は、前記お勧め順位が２位の番組の中から選択操作された番組の録画を指示し、前記お勧め順位が１位の番組が複数ある場合は、前記お勧め順位が１位の番組のうち、選局しなかった番組の中から選択操作された番組の録画を指示するようにしてもよい。
【００１５】
この構成によれば、ユーザの嗜好に最も合っていると考えられる番組を直ちに選局でき、お勧め順位が低くても録画することで視聴することができる。
【００１６】
また上記のテレビ受像機において、前記放送データ中の画像音声データ以外の情報は、番組のジャンル、視聴年齢制限、画質、音声方式、番組名、番組説明のうちの任意の情報を用いることができる。
【発明の効果】
【００１７】
本発明によると、ユーザの嗜好で設定された優先度にしたがってお勧め順位を決定することにより、ユーザの嗜好を反映させた番組検索が可能となり、ユーザの満足度を向上できる。
【図面の簡単な説明】
【００１８】
【図１】本発明のＨＤＤ・光ディスク装置一体型テレビ受像機の構成及びその周辺機器を示すブロック図である。
【図２】本発明の優先度設定メニュー画面の一例である。
【図３】本発明の優先度設定メニュー画面の一例である。
【図４】本発明の優先度設定メニュー画面の一例である。
【図５】本発明の優先度設定メニュー画面の一例である。
【図６】本発明の優先度設定メニュー画面の一例である。
【図７】本発明のＨＤＤ・光ディスク装置一体型テレビ受像機における番組検索の動作を示すフローチャートである。
【図８】ＰＭＴの一例である。
【図９】ＥＩＴの一例である。
【図１０】本発明の抽出した番組の一覧を示す図である。
【図１１】本発明のお勧め順位のリストを示す画面の一例である。
【図１２】本発明のお勧め順位のリストを示す画面の一例である。
【図１３】本発明のお勧め順位のリストを示す画面の一例である。
【発明を実施するための形態】
【００１９】
以下、テレビ受像機の一例として、ハードディスクドライブ（ＨＤＤ）・光ディスク装置一体型テレビ受像機を用いて説明する。図１は、ＨＤＤ・光ディスク装置一体型テレビ受像機１０の構成及びその周辺機器を示すブロック図である。ＨＤＤ・光ディスク装置一体型テレビ受像機１０には、ケーブルテレビや衛星放送等のセットトップボックス（ＳＴＢ）又はビデオデッキ等の画像音声記録装置に代表される外部装置１２が接続されている。またＨＤＤ・光ディスク装置一体型テレビ受像機１０は、リモコン１３によって操作可能である。以下では、光ディスクとしてＢＤ（Blu-ray Disc）を例に説明する。
【００２０】
ＨＤＤ・光ディスク装置一体型テレビ受像機１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＢＤ／ＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＢＤに記録したり、ＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示部１１へ出力する画像出力部２１と、画像音声圧縮伸長部１７からの音声信号をアナログ化し、表示部１１へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ・光ディスク装置一体型テレビ受像機１０の各部を制御する制御部２６とを備えている。
【００２１】
また、制御部２６は、ユーザによって設定された番組のジャンルやキーワード等で番組検索して、ユーザの嗜好を反映している番組を順番に並べてお勧め順位とし、高順位の番組を選局したり、録画したりするような制御も行う。
【００２２】
具体的には、放送データ中の画像音声データ以外の情報（番組のジャンル、視聴年齢制限、画質、音声方式、番組名、番組説明など）を用いて、ユーザによって所望の情報順に予め優先度が設定されている場合、制御部２６は、現在放送中の番組を検索対象とし、ユーザによって設定された優先度に基づき、番組検索してお勧め順位を判定する。お勧め順位の判定は、第１に、ユーザによって設定された優先度の高い情報と一致する情報を有する番組を高順位とし、第２に、同じ優先度の情報を有する番組同士は、情報の個数に関係なく同じ順位とし、第３に、異なる優先度の情報を有する番組同士は、より高い異なる優先度を有する番組を高順位として総合的に判定する。
【００２３】
上記判定の結果、制御部２６は、お勧め順位が１位の番組が１つの場合はそれを選局し、お勧め順位が１位の番組が複数ある場合は、ユーザにその中からの選択を促し、選択操作された番組を選局するように制御する。なお、お勧め順位が１位の番組が１つの場合はそれを選局する前にユーザにその番組を選局するか否かの選択を促すようにしてもよい。
【００２４】
さらに制御部２６は、お勧め順位が１位及び２位の番組が１つずつある場合は、上記のようにお勧め順位が１位の番組を選局することに加え、お勧め順位が２位の番組の録画を指示するようにしてもよい。録画することで、お勧め順位が低くても後で視聴することができる。なお、お勧め順位が１位の番組を選局する前にユーザにその番組を選局するか否かの選択を促すようにしてもよく、お勧め順位が２位の番組の録画を指示する前にユーザにその番組を録画するか否かの選択を促すようにしてもよい。
【００２５】
また制御部２６は、お勧め順位が１位の番組が１つあり、お勧め順位が２位の番組が複数ある場合は、上記のようにお勧め順位が１位の番組を選局することに加え、お勧め順位が２位の番組の中からの選択をユーザに促し、選択操作された番組の録画を指示するようにしてもよい。
【００２６】
また制御部２６は、お勧め順位が１位の番組が複数ある場合は、上記のようにユーザにその中からの選択を促し、選択操作された番組を選局することに加え、お勧め順位が１位の番組のうち、選局しなかった番組の中からの選択をユーザに促し、選択操作された番組の録画を指示するように制御してもよい。録画することで、選局しなかった番組も後で視聴することができる。
【００２７】
なお、制御部２６が指示する録画先としては、ユーザによって選択されたＨＤＤ記録再生部１８のＨＤＤ又はＢＤ／ＤＶＤ記録再生部１９の光ディスクとする。外部装置１２がＨＤＤや光ディスクなどの記録媒体を備えていれば、外部装置１２の記録媒体を録画先として選択できるようにしてもよい。
【００２８】
以下、ＨＤＤ・光ディスク装置一体型テレビ受像機１０における番組検索に関しての一実施例を説明する。ユーザが番組検索をしようとした場合、まず、メニュー画面から「優先度設定メニュー」を選択する。優先度設定メニューとは、番組検索する際の検索条件を入力するためのメニューであり、つまり、お勧め順位を判定する際の優先度の項目を入力するためのメニューである。
【００２９】
図２に、優先度設定メニュー画面の一例を示す。画面３０は優先度設定メニューの起動時の画面である。ここでは最大で、優先度の高い順に優先度１から優先度３まで設定できるようになっている。そして、カーソル３１のある優先度１の項目設定を入力できる状態である。
【００３０】
画面３０の状態で決定キーを押すと、図３の画面４０が表示され、カーソル３１のある優先度１の項目設定のための候補の一覧が表示される。画面４０では、項目設定のための候補である「フリーワード」上にカーソル４１がある。
【００３１】
画面４０の状態で決定キーを押すと、優先度１の項目設定部分がフリーワードに設定され、フリーワードを入力する画面（不図示）が表示されるので、リモコン１３の数字キーを５０音に割り当てた一般的な入力方法を用いて所望の単語を入力する。例えば、「阪神」と入力して決定キーを押すと、図４の画面５０が表示される。画面５０では、フリーワードで阪神を含むという内容が優先度１として設定され、カーソル５１は優先度２の項目設定ができる位置にある。
【００３２】
画面５０の状態で決定キーを押すと、優先度２の項目設定を上記と同様の手順で設定できる。図５の画面６０は、優先度２の項目設定で「ジャンル」が選択された場合を示しており、優先度２の詳細設定の候補の一覧が表示されており、「野球」上にカーソル６１が位置している状態である。
【００３３】
同様の操作を繰り返し、優先度３まで入力した状態が図６の画面７０である。画面７０では、「設定完了」上にカーソル７１が位置している。この状態で決定キーを押すと、優先度の設定が完了し、次に設定が変更されるまでこの設定が有効となる。一方、「設定をクリア」上にカーソル７１を移動させて決定キーを押すと、上記で設定した内容を消去し、図２の画面３０の状態に戻る。
【００３４】
上記で有効となっている優先度の設定内容に基づいて番組検索を実行させるには、リモコン１３のお勧め番組キーを押す。以下に、お勧め番組キーが押下された場合の、ＨＤＤ・光ディスク装置一体型テレビ受像機１０の動作について説明する。
【００３５】
図７は、ＨＤＤ・光ディスク装置一体型テレビ受像機１０における番組検索の動作を示すフローチャートである。ここでは、図６の画面７０に示した優先度１〜３の内容で設定が有効になっているものとする。この状態で、お勧め番組キーが押下された場合、ステップＳ１０において、制御部２６は、各チャンネルの現在放送中の番組の画像音声データ以外の情報を取得する。
【００３６】
例えば欧州の場合、ＥＴＳＩ（European Telecommunications Standards Institute）が作成した欧州規格（ＥＮ）に沿って放送データが構成されているので、上記の情報を取得するには、各種データの格納場所から取り出せばよい。例えば、番組の映像や音声、各種データが格納されているＴＳ（Transport Stream（ETSI EN 301 192））から番組のジャンル、視聴年齢制限、映像、音声のデータを取り出す。そして取り出したデータの中からその詳細情報を知るためにＳＩ（Service Information（ETSI EN 300 468））で規定されているＰＭＴ（Program Map Table）とＥＩＴ（Event Information Table）を確認する。
【００３７】
図８にＰＭＴの一例を、図９にＥＩＴの一例を示す。映像の画質はＥＩＴ内のService descriptor内のservice_typeからＳＤ（標準画質）かＨＤ（高画質）かを判断し、音声方式はＰＭＴ内のStream_typeとAC-3_audio_stream_descriptorから判断し、視聴年齢制限はＥＴＩ内のparental_rating_descriptorから判断し、番組のジャンルはＥＴＩ内のcontent_descriptorから判断する。
【００３８】
これらの情報は、一般的にチャンネル選局時に表示されるバナーやＥＰＧ（電子番組表）を表示する際に確認される内容であるため、バナーやＥＰＧを表示できる機能を備えることで取得できる。
【００３９】
図２に戻って説明を続ける。ステップＳ１０からはステップＳ１１へ進んで、取得した情報を検索対象とし、つまり、現在放送中の番組を検索対象とし、ユーザによって設定された優先度１〜３の少なくとも１つを含む番組を抽出する。ここでは、例えば、図１０に一覧で示すような番組Ａ〜Ｄが抽出されたものとする。
【００４０】
次に、ステップＳ１２へ進んで、抽出された番組Ａ〜Ｄのお勧め順位を判定する。この判定は、第１段階として、優先度の高い情報と一致する情報を有する番組を高順位とする。最も優先度の高い優先度１である「阪神」が番組名や番組説明に含まれているのは、番組Ａ、Ｂ、Ｃであり、番組Ｄは優先度２と優先度３を有するが「阪神」は含まれていない。したがって、番組Ｄがお勧め順位４位であることが確定し、第１段階での順位を不等号を用いて表すと、番組Ａ、Ｂ、Ｃ＞番組Ｄとなる。不等号の大きい側が高順位であることを示している。
【００４１】
次に第２段階として、同じ優先度の情報を有する番組同士は、情報の個数に関係なく同じ順位とする。優先度１である「阪神」は、番組Ａに４つ、番組Ｂに２つ、番組Ｃに１つ含まれているが、ここでは個数は考慮しない。したがって、第２段階までの順位は、第１段階と同じで、番組Ａ、Ｂ、Ｃ＞番組Ｄとなる。
【００４２】
次に第３段階として、異なる優先度の情報を有する番組同士は、より高い異なる優先度を有する番組を高順位とする。番組Ａは優先度１を、番組Ｂは優先度１と優先度２を、番組Ｃは優先度１と優先度３を、それぞれ含んでいるので、番組Ａ〜Ｃは互いに異なる優先度の情報を有しているといえる。そして、より高い異なる優先度を有する番組としては、番組Ｂが優先度２を有しているので１位とし、次に番組Ｃが優先度３を有しているので２位とし、次に番組Ａが優先度１以外に有していないので３位とする。したがって、第３段階まで考慮した最終的なお勧め順位は、番組Ｂ＞番組Ｃ＞番組Ａ＞番組Ｄとなる。
【００４３】
この判定の結果、ステップＳ１２からステップＳ１３へ進んで、お勧め順位が１位の番組Ｂを選局し、続いてステップＳ１４へ進んで、お勧め順位が２位の番組Ｃを予めユーザにより設定されている記録媒体に録画する。
【００４４】
上記の例は、お勧め順位が１位及び２位の番組が１つずつある場合であったが、他の例として、お勧め順位が１位の番組が複数ある場合は、例えば、図１１の画面８０に示すように、そのリストを表示し、カーソル８１を移動可能として決定キーが押下されると、カーソル８１で選択されている番組を選局すればよい。そして、図１２の画面９０に示すように、選局された番組を網掛け表示９２等して選択できないようにし、残りの番組の中から録画する番組をカーソル９１と決定キーで選択できるようにすればよい。なお、録画しないという選択肢もある。
【００４５】
また、他の例として、お勧め順位が１位の番組が１つあり、お勧め順位が２位の番組が複数ある場合は、例えば、図１３の画面１００に示すように、お勧め順位が２位の番組のリストを表示し、カーソル１０１を移動可能として決定キーが押下されると、カーソル１０１で選択されている番組を録画し、お勧め順位が１位の番組は自動的に選局するようにすればよい。なお、録画しないという選択肢もある。
【００４６】
また、番組検索の結果、番組が１つも抽出されなかった場合は、該当する番組がない旨のメッセージを表示すればよい。
【００４７】
このように本発明によれば、優先度にしたがってお勧め順位を決定することにより、ユーザの嗜好を反映させた番組検索が可能となり、ユーザの満足度を向上できる。
【産業上の利用可能性】
【００４８】
本発明は、テレビ受像機、ＨＤＤや光ディスク装置を備えたテレビ受像機に利用することができる。
【符号の説明】
【００４９】
１０  ＨＤＤ・光ディスク装置一体型テレビ受像機
【図１】
2011166252.tif 000003
【図２】
2011166252.tif 000004
【図３】
2011166252.tif 000005
【図４】
2011166252.tif 000006
【図５】
2011166252.tif 000007
【図６】
2011166252.tif 000008
【図７】
2011166252.tif 000009
【図１０】
2011166252.tif 000010
【図１１】
2011166252.tif 000011
【図１２】
2011166252.tif 000012
【図１３】
2011166252.tif 000013
【図８】
2011166252.tif 000014
【図９】
2011166252.tif 000015